(57)【特許請求の範囲】
【請求項１】
洗濯機に設けられた、洗濯水を浄水する浄水装置の洗浄方法であって、前記浄水装置を洗浄するためのプログラムを起動し、設定レベルに達するまで前記洗濯機に、前記浄水装置を洗浄するための洗浄水を取水し、加熱水洗プログラムおよび清水置換水洗プログラムを順番に繰り返し、前記浄水装置がきれいに洗浄されたことを検出すると停止し、
前記加熱水洗プログラムは、洗浄水の加熱工程、膜の水洗工程、静置工程、および膜の空気洗浄工程を含み、
前記清水置換水洗プログラムは、洗浄水の撹拌工程、膜の水洗工程、膜の空気洗浄工程、および、洗浄水排出工程を含むことを特徴とする洗浄方法。
【請求項２】
浄水装置を通過した後の水流量が設定値より少ないことを検出したとき、浄水装置を洗浄するためのプログラムを起動し；浄水装置を通過した後の水流量が正常値に回復したことを検出したとき、浄水装置はきれいに洗浄されていることを特徴とする、請求項１に記載の洗浄方法。
【請求項３】
前記加熱水洗プログラムは複数の加熱水洗過程を含み、加熱水洗過程は洗浄水の加熱工程、膜の水洗工程、静置工程、および膜の空気洗浄工程を含み、連続する２つの加熱水洗過程の間に給水プログラムを行い；
このうち、前記給水プログラムは、水位が設定レベルに達するまで洗濯機に給水する工程を含むことを特徴とする、請求項１に記載の洗浄方法。
【請求項４】
前記加熱水洗プログラムと清水置換水洗プログラムとの間に、洗浄水排出プログラムおよび取水プログラムを行い；
このうち、前記洗浄水排出プログラムは、加熱水洗プログラムで使用した洗浄水を排出する工程を含み、取水プログラムは洗濯機が設定レベルまで取水する工程を含むことを特徴とする、請求項１に記載の洗浄方法。
【請求項５】
前記膜の水洗工程の時間は５〜１０ｓであり、静置工程の時間は膜の水洗工程の時間の６０〜８０倍であり、膜の空気洗浄工程の時間は膜の水洗工程の時間の２４〜３０倍であり、洗浄水の撹拌工程の時間は膜の水洗工程の時間の２４〜３０倍であり、膜の空気洗浄工程の時間は膜の水洗工程の時間の６０〜８０倍であることを特徴とする、請求項１に記載の洗浄方法。
【請求項６】
工程Ｓ１、浄水装置の自動洗浄プログラムを起動する；
工程Ｓ２、設定レベルまで取水する；
工程Ｓ３、加熱水洗プログラムを行う；
工程Ｓ４、洗浄水を排出する；
工程Ｓ５、設定レベルまで取水する；
工程Ｓ６、清水置換水洗プログラムを行う；
工程Ｓ７、工程Ｓ２〜Ｓ６を繰り返し、浄水装置を通過した後の水流量が回復すると停止する；
を含むことを特徴とする、請求項１に記載の洗浄方法。
【請求項７】
前記工程Ｓ３が
工程Ｓ３１、洗濯機が洗浄プログラムを行いながら、設定温度まで洗浄水を加熱する；
工程Ｓ３２、膜の水洗を行う；
工程Ｓ３３、静置する；
工程Ｓ３４、膜の空気洗浄を行う；
工程Ｓ３５、工程Ｓ３２〜Ｓ３４を少なくとも５回繰り返す；
工程Ｓ３６、水位が設定レベルまで達しているかどうかを洗濯機が測定、判断し、達していない場合、洗濯機の主取水弁を開き、設定レベルまで給水して工程Ｓ３１に戻り；達している場合、工程Ｓ３１に戻る；
を含むことを特徴とする、請求項６に記載の洗浄方法。
【請求項８】
前記洗濯機は第１揚程ポンプおよび第２揚程ポンプを含み、第１揚程ポンプおよび第２揚程ポンプはそれぞれ洗濯ドラムおよび浄水装置と接続され、前記浄水装置はろ過システム、空気ポンプ、自吸ポンプおよびドレン弁を含み、空気ポンプ、自吸ポンプおよびドレン弁はそれぞれろ過システムと接続され；前記膜の水洗工程のとき、第１揚程ポンプが作動し、ドレン弁が開き、静置工程のとき、第１揚程ポンプ、第２揚程ポンプ、空気ポンプ、自吸ポンプが停止し、ドレン弁が閉じ、膜の空気洗浄工程のとき、第２揚程ポンプ、空気ポンプが作動し、ドレン弁が開くことを特徴とする、請求項１〜７のいずれか１項に記載の洗浄方法を採用した洗濯機。
【請求項９】
前記ろ過システムと自吸ポンプとの間の管路、または自吸ポンプと洗濯ドラムとの間の管路に、流量センサを設置することを特徴とする、請求項８に記載の洗濯機。
【発明の詳細な説明】
【技術分野】
【０００１】
本発明は洗濯機の技術分野に関し、具体的に、浄水装置の自動洗浄方法および該方法を採用した洗濯機に関する。
【背景技術】
【０００２】
人々の生活水準が向上するのに伴い、洗濯機はすでに家庭に必須の家電の１つとなっており、多くの人が洗濯機を衣類洗濯の主要な手段としている。環境の悪化、水系の汚染に伴い、きれいな水は次第に希少な資源となっている。どのようにして衣類を洗浄するのと同時に節水、節電を行うかは、常に消費者の関心を集める焦点の１つである。
【０００３】
浄水洗濯機は、上記の需要により研究、開発されたものであり、浄水洗濯機の動作原理は次の通りである。洗濯機の内部に浄水装置が設置され、すすぎ過程で洗濯水を浄水装置中に通してろ過した後、洗濯機の洗濯ドラム中に戻すことにより、すすぎ過程の洗濯ドラム内の水をきれいな状態にする。衣類は常に浄水中で洗濯され、これによりユーザの使用感は向上する。
【０００４】
しかし、浄水装置のろ過システムは、洗濯ドラム内の水を浄化して、繰り返し使用する目的を達成するため、ナノメートルレベルの孔径のフィルタを使用する。このように、一定時間使用すると、異物、大きな顆粒などがろ過システムの表面に吸着するのは避けられない。ろ過システムの異物、大きな顆粒などを剥がすことができない場合、一定時間が経過すると、浄水装置は作用しなくなる。これにより浄水による洗濯の意義を失い、さらには洗濯水が汚染されることがある。
【０００５】
既存の洗濯機の自動洗浄プログラムは、洗濯機の内ドラムを洗浄することしかできず、浄水装置を洗浄することはできない。これにより必然的に浄水装置は作用しなくなる。浄水装置が一旦作用しなくなると、ユーザは浄水装置のろ過システムを交換することしかできず、経済的な負担が増加する。
【０００６】
したがって、どのようにして浄水装置の自動洗浄を実現し、ろ過モジュールの有効性を保持し、その使用寿命を延長させ、ユーザの使用感を向上させるかは、重要な意義を有する。
【０００７】
このことを考慮して、特に本発明を示す。
【発明の概要】
【課題を解決するための手段】
【０００８】
上記問題を解決するため、本発明は浄水装置の自動洗浄方法および該方法を採用した洗濯機を提供する。具体的に、以下の技術案を採用した。
浄水装置の自動洗浄方法は、浄水装置の自動洗浄プログラムを起動すると、洗濯機が設定レベルまで取水し、加熱水洗プログラムおよび清水置換水洗プログラムを順番に繰り返し、浄水装置がきれいに洗浄されたことを検出すると停止する。
このうち、前記加熱水洗プログラムは、洗浄水の加熱、膜の水洗、静置、および膜の空気洗浄工程を含む。
【０００９】
さらに、浄水装置の循環水流量が設定値より少ないことを検出したとき、浄水装置の自動洗浄プログラムを起動する。浄水装置の循環水流量が正常値に回復したことを検出したとき、浄水装置はきれいに洗浄されている。
【００１０】
さらに、前記加熱水洗プログラムは複数の加熱水洗過程を含み、加熱水洗過程は洗浄水の加熱、膜の水洗、静置、および膜の空気洗浄工程を含む。連続する２つの加熱水洗過程の間は給水プログラムを行う。
このうち前記給水プログラムは、水位が設定レベルに達するまで洗濯機に給水する工程を含む。
【００１１】
さらに、前記加熱水洗プログラムと清水置換水洗プログラムとの間に、洗浄水排出プログラムおよび取水プログラムを行う。
このうち、前記洗浄水排出プログラムは、加熱水洗プログラムで使用した洗浄水を排出する工程を含み、取水プログラムは洗濯機が設定レベルまで取水する工程を含む。
【００１２】
さらに、前記清水置換水洗プログラムは、洗浄水の撹拌、膜の水洗、膜の空気洗浄（水の再利用）、および洗浄水排出工程を含む。
【００１３】
さらに、前記膜の水洗工程の時間は５〜１０ｓである。静置工程の時間は膜の水洗工程の時間の６０〜８０倍であり、膜の空気洗浄工程の時間は膜の水洗工程の時間の２４〜３０倍であり、洗浄水の撹拌工程の時間は膜の水洗工程の時間の２４〜３０倍であり、膜の空気洗浄（水の再利用）工程の時間は膜の水洗工程の時間の６０〜８０倍である。
【００１４】
さらに、本発明の浄水装置の自動洗浄方法は以下の工程を含む。
工程Ｓ１、浄水装置の自動洗浄プログラムを起動する。
工程Ｓ２、設定レベルまで取水する。
工程Ｓ３、加熱水洗プログラムを行う。
工程Ｓ４、洗浄水を排出する。
工程Ｓ５、設定レベルまで取水する。
工程Ｓ６、清水置換水洗プログラムを行う。
工程Ｓ７、工程Ｓ２〜Ｓ６を繰り返し、浄水装置の水流量が回復すると停止する。
【００１５】
さらに、前記工程Ｓ３は以下の工程を含む。
工程Ｓ３１、洗濯機が洗浄プログラムを行いながら、設定温度まで洗浄水を加熱する。
工程Ｓ３２、膜の水洗を行う。
工程Ｓ３３、静置する。
工程Ｓ３４、膜の空気洗浄を行う。
工程Ｓ３５、工程Ｓ３２〜Ｓ３４を少なくとも５回繰り返す。
工程Ｓ３６、水位が設定レベルに達しているかどうかを洗濯機が測定、判断する。達していない場合、洗濯機の主取水弁を開き、設定レベルまで給水して工程Ｓ３１に戻り；達している場合、工程Ｓ３１に戻る。
【００１６】
本発明は、上記浄水装置の自動洗浄方法を採用した洗濯機を同時に提供している。第１揚程ポンプおよび第２揚程ポンプを含み、第１揚程ポンプおよび第２揚程ポンプはそれぞれ洗濯ドラムおよび浄水装置と接続される。前記浄水装置はろ過システム、空気ポンプ、自吸ポンプおよびドレン弁を含み、空気ポンプ、自吸ポンプおよびドレン弁はそれぞれろ過システムと接続される。前記膜の水洗工程のとき、第１揚程ポンプが作動し、ドレン弁が開く。静置工程のとき、第１揚程ポンプ、第２揚程ポンプ、空気ポンプ、自吸ポンプが停止し、ドレン弁が閉じる。膜の空気洗浄工程のとき、第２揚程ポンプ、空気ポンプが作動し、ドレン弁が開く。
【００１７】
さらに、前記ろ過システムと自吸ポンプとの間の管路、または自吸ポンプと洗濯ドラムとの間の管路に、流量センサを設置する。
【発明の効果】
【００１８】
本発明の浄水装置の自動洗浄方法は、以下の利点を有する。
１）浄水装置の循環水流量を測定することにより、その使用状況を判断する。浄水装置の汚染が比較的深刻なとき、浄水装置の自動洗浄プログラムを速やかに起動し、浄水装置を水洗し、浄水装置の有効性を確実に保証する。
【００１９】
２）本発明の浄水装置の自動洗浄方法は、加熱水洗プログラムを含む。まず洗浄水を加熱してから、浄水装置の膜の水洗および膜の空気洗浄などの工程を行うことにより、洗浄の効果を大幅に高めた。
【００２０】
３）本発明の浄水装置の自動洗浄方法では、浄水装置の自動洗浄過程において、洗浄水は絶えず洗濯ドラム中で撹拌、加熱される。したがって、浄水装置の洗浄を実現するのと同時に、洗濯機の洗濯ドラムを自動洗浄する効果も実現した。
【００２１】
したがって、本発明の浄水装置の自動洗浄方法は、浄水装置のろ過システム表面の異物、大きな顆粒などを速やかに剥がすことができる。浄水装置の浄水効果を確実に保証し、浄水装置の使用寿命を効果的に延長させ、ユーザの使用感を大幅に向上させた。
【図面の簡単な説明】
【００２２】
【図１】図１は、本発明のフローチャートである。
【図２】図２は、本発明の洗濯機の接続概要図である。
【図３】図３は、本発明の浄水装置の構造概要図である。
【発明を実施するための形態】
【００２３】
以下、図を組み合わせて、本発明の浄水装置の自動洗浄方法および該方法を採用した洗濯機について、詳細に記載する。
本発明の浄水装置の自動洗浄方法は、浄水装置の自動洗浄プログラムを起動すると、洗濯機が設定レベルまで取水し、加熱水洗プログラムおよび清水置換水洗プログラムを順番に繰り返し、浄水装置がきれいに洗浄されたことを検出すると停止する。このうち、前記加熱水洗プログラムは洗浄水の加熱、膜の水洗、静置、および膜の空気洗浄工程を含む。
【００２４】
さらに、浄水装置の循環水流量が設定値より少ないことを検出したとき、浄水装置の自動洗浄プログラムを起動する。浄水装置の循環水流量が正常値に回復したことを検出したとき、浄水装置はきれいに洗浄されている。
【００２５】
本発明の浄水装置の自動洗浄方法は、浄水装置の循環水流量を測定することにより、浄水装置の汚染の程度を判断する。浄水装置の循環水流量が少なすぎるとき、浄水装置のろ過システムへの付着が比較的深刻であると説明でき、このときユーザに浄水装置の自動洗浄プログラムを起動するように通知して、浄水装置を自動洗浄する必要がある。したがって、本発明の浄水装置の自動洗浄方法は、浄水装置の汚れの付着程度を効果的にリアルタイムで測定することができる。ユーザに洗浄するように速やかに通知し、浄水装置の有効性を確実に保証し、使用寿命を高めた。
【００２６】
本発明の循環水流量の設定値について、具体的な数値は多くの試験によって総合的に得られたものであり、ユーザが設定を選択して、洗濯機の制御盤のデフォルト設定を行うこともできる。
【００２７】
本発明の浄水装置の自動洗浄方法は、洗浄過程の浄水装置の循環水流量も測定、判断する。循環水流量が正常に回復したとき、浄水装置の洗浄が完了したと説明できる。どのようにして循環水流量が正常に回復したかを判断するかは、循環水流量の正常値を１つ設定する。測定した循環水流量が該正常値以上のとき、浄水装置のろ過作用が回復したと説明でき、浄水装置の自動洗浄プログラムを終了することができる。
【００２８】
本発明の加熱水洗プログラムは、まず洗濯機の既存の洗浄プログラムを利用する。洗浄水を撹拌、加熱し、その後膜の水洗および膜の空気洗浄などの工程を行う。温水による洗浄効果はより良好であり、洗浄効率を高めた。
【００２９】
他に、加熱水洗プログラム中の洗浄水に、一定の酸性またはアルカリ性を呈する、関連する洗浄薬を添加することができる。洗浄薬は浄水装置の汚れと化学反応し、浄水装置の汚れの剥離をさらに加速させ、洗浄効果を高め、洗浄効率を高めた。
【００３０】
本発明の加熱水洗プログラムは、主に汚れをろ過システムから洗い流す過程であるため、加熱水洗プログラムの有効性を確実に保証するには、加熱水洗プログラムの時間を比較的長く設定する必要がある。しかし、洗浄水の温度は一定程度に加熱水洗プログラムの洗浄効果を決定するが、加熱水洗プログラムの時間が長すぎる場合、洗浄水の温度の低下は明らかであり、加熱水洗プログラムの効果に影響を及ぼす。
【００３１】
したがって、本発明の加熱水洗プログラムは複数の加熱水洗過程を含む。加熱水洗過程は洗浄水の加熱、膜の水洗、静置、および膜の空気洗浄工程を含み、連続する２つの加熱水洗過程の間に給水プログラムを行う。このうち、前記給水プログラムは水位が設定レベルに達するまで洗濯機に給水する工程を含む。このように、加熱水洗プログラムを複数の加熱水洗過程に分け、各加熱水洗過程はいずれも洗浄水の完全な加熱、膜の水洗、静置、および膜の空気洗浄工程を含み、時間の経過により洗浄水の温度が低下するのを防止し、洗浄効果はより良好である。
【００３２】
他に、膜の水洗および膜の空気洗浄工程において、汚れは洗浄水に伴って排出され、これにより洗浄水量が減少する。したがって、洗浄水量が水位の要求を満たすことを保証するため、次の加熱水洗過程の前に給水する必要がある。具体的に、前記給水プログラムは
、設定レベルの水位に達しているかどうかを洗濯機が測定、判断し、達していない場合、洗濯機の主取水弁を開いて設定レベルまで給水し、達している場合、洗浄水を加熱する工程を含む。本発明の給水プログラムは、毎回の加熱水洗過程における洗浄水量を保証している。洗浄水量が充分でなければ、膜の水洗および膜の空気洗浄工程の洗浄効果を確実に保証することはできない。
【００３３】
本発明の浄水装置の自動洗浄方法は、加熱水洗プログラムおよび清水置換水洗プログラムを順番に交互に行うことを含む。毎回の加熱水洗プログラムで洗い流された汚れは速やかに排出され、さらに清水置換水洗プログラムにより、さらに水洗して排出される。このように、汚れが繰り返し堆積するのを防止することができ、浄水装置の自動洗浄効率を高めた。
【００３４】
したがって、本発明の加熱水洗プログラムと清水置換水洗プログラムとの間に、洗浄水排出プログラムおよび取水プログラムを行う。このうち、前記洗浄水排出プログラムは、加熱水洗プログラムで使用する洗浄水を排出する工程を含み、取水プログラムは洗濯機が設定レベルまで取水する工程を含む。
【００３５】
本発明の清水置換水洗プログラムは、主に加熱水洗プログラムの後に残った汚れをきれいに洗い流す工程であり、そのため、清水置換水洗プログラムは最終的な浄水装置の自動洗浄効果を決定する。したがって、本発明の清水置換水洗プログラムは、洗浄水の撹拌、膜の水洗、膜の空気洗浄（水の再利用）、および洗浄水排出工程を含む。このうち膜の水洗は、ろ過システムに付着した汚れを洗い流して排出する。膜の空気洗浄（水の再利用）は、ろ過システムの洗浄水にエアレーションし続けることにより、気流が上昇運動し続け、ろ過システムの汚れが振動により脱落し、さらに洗浄水排出工程により完全に排出される。したがって、本発明の清水置換水洗プログラムは、ろ過システムに残った汚れを最大限に洗浄して排出することができる。
【００３６】
本発明の好ましい実施方式として、前記膜の水洗工程の時間は５〜１０ｓである。静置工程の時間は膜の水洗工程の時間の６０〜８０倍であり、膜の空気洗浄工程の時間は膜の水洗工程の時間の２４〜３０倍であり、洗浄水の撹拌工程の時間は膜の水洗工程の時間の２４〜３０倍であり、膜の空気洗浄（水の再利用）工程の時間は膜の水洗工程の時間の６０〜８０倍である。
【００３７】
このうち、加熱水洗プログラムの各回の加熱水洗過程における洗浄水の加熱、膜の水洗、静置、および膜の空気洗浄工程は、少なくとも５回繰り返すが、このようにしなければ、ろ過システムから汚れを可能な限り剥がすことができない。清水置換プログラムの膜の水洗、膜の空気洗浄（水の再利用）はいずれも１回行う。その主な目的は剥がした汚れをきれいに洗い流し、完全に排出することである。
【００３８】
具体的に、本発明の浄水装置の自動洗浄方法および該方法を採用した洗濯機は、以下の工程を含む。
工程Ｓ１、浄水装置の自動洗浄プログラムを起動する。
工程Ｓ２、設定レベルまで取水する。
工程Ｓ３、加熱水洗プログラムを行う。
工程Ｓ４、洗浄水を排出する。
工程Ｓ５、設定レベルまで取水する。
工程Ｓ６、清水置換水洗プログラムを行う。
工程Ｓ７、工程Ｓ２〜Ｓ６を繰り返し、浄水装置の水流量が回復すると停止する。
【００３９】
さらに、前記工程Ｓ３は以下の工程を含む。
工程Ｓ３１、洗濯機が洗浄プログラムを行いながら、洗浄水を設定温度まで加熱する。
工程Ｓ３２、膜の水洗を行う。
工程Ｓ３３、静置する。
工程Ｓ３４、膜の空気洗浄を行う。
工程Ｓ３５、工程Ｓ３２〜Ｓ３４を少なくとも５回繰り返す。
工程Ｓ３６、水位が設定レベルに達しているかどうかを洗濯機が測定、判断する。達していない場合、洗濯機の主取水弁を開き、設定レベルまで給水して工程Ｓ３１に戻り；達している場合、工程Ｓ３１に戻る。
【００４０】
本発明の浄水装置の自動洗浄方法は、浄水装置のろ過システム表面の異物、大きな顆粒などを速やかに剥がすことができる。浄水装置の浄水効果を確実に保証し、浄水装置の使用寿命を効果的に延長させ、ユーザの使用感を大幅に向上させた。
【００４１】
他に、本発明の浄水装置の自動洗浄方法では、浄水装置の自動洗浄過程において、洗浄水は絶えず洗濯ドラム中で撹拌、加熱される。したがって、浄水装置の洗浄を実現するのと同時に、洗濯機の洗濯ドラムを自動洗浄する効果も実現した。
【実施例】
【００４２】
実施例１
図１に示すように、本実施例の浄水装置の自動洗浄方法は、以下の工程を含む。
１）起動する。
２）設定水位まで取水する。
３）洗浄プログラムを開始して洗浄水を加熱する。
４）ろ過モジュールの膜の水洗を行う。
５）静置する。
６）ろ過モジュールの膜の空気洗浄を行う。
７）排出する。
８）工程２）〜７）をｍ回繰り返す。
９）設定水位まで取水する。
１０）洗浄プログラムを開始する。
１１）ろ過モジュールの膜の水洗を行う。
１２）ろ過モジュールの膜の空気洗浄を行う（再利用）。
１３）排出する。
１４）浄水装置の循環水流量が正常に回復したかどうかを判断する。
１５）正常に回復した場合、終了し、そうでない場合、工程２）に戻る。
【００４３】
本実施例の工程１４）で、３回連続して正常に回復していないと判断したとき、警報を発し、ユーザに浄水装置を検査するか、または浄水装置のろ過システムを交換するように通知する。
【００４４】
本実施例の浄水装置の自動洗浄方法は、浄水装置のろ過システム表面の異物、大きな顆粒などを速やかに剥がすことができる。浄水装置の浄水効果を確実に保証し、浄水装置の使用寿命を効果的に延長させ、ユーザの使用感を大幅に向上させた。
【００４５】
実施例２
本実施例は、本発明の浄水装置の自動洗浄方法を採用した具体的なプログラムの工程を提供している。
【００４６】
【表１】
0006692533.tif 000002
【００４７】
【表２】
0006692533.tif 000003
【００４８】
本実施例の浄水装置の自動洗浄工程における加熱洗浄は、加熱洗浄１、加熱洗浄２および加熱洗浄３を含み、浄水装置を最大限にきれいに洗浄することを確実に保証する。加熱洗浄後に行う清水置換水洗は、加熱洗浄で残った汚れを最大限に排出することを確実に保証する。したがって、本実施例の自動洗浄工程は、浄水装置の自動洗浄に対する大部分の要求に適用することができる。
【００４９】
実施例３
本実施例は、本発明の浄水装置の自動洗浄方法を採用した洗濯機である。第１揚程ポンプおよび第２揚程ポンプを含み、第１揚程ポンプおよび第２揚程ポンプはそれぞれ洗濯ドラムおよび浄水装置と接続される。前記浄水装置はろ過システム、空気ポンプ、自吸ポンプおよびドレン弁を含み、空気ポンプ、自吸ポンプおよびドレン弁はそれぞれろ過システムと接続される。前記膜の水洗工程のとき、第１揚程ポンプが作動し、ドレン弁が開く。静置工程のとき、第１揚程ポンプ、第２揚程ポンプ、空気ポンプ、自吸ポンプが停止し、ドレン弁が閉じる。膜の空気洗浄工程のとき、第２揚程ポンプ、空気
ポンプが作動し、ドレン弁が開く。
【００５０】
本実施例の前記ろ過システムと自吸ポンプとの間の管路、または自吸ポンプと洗濯ドラムとの間の管路に、流量センサを設置する。流量センサはろ過システムの循環水流量をリアルタイムに測定して、洗濯機の制御盤に送信する。洗濯機の制御盤は循環水流量に基づいて、ろ過システムの汚れの付着状況を監視し、浄水装置の自動洗浄プログラムを起動および停止する根拠をユーザに提供する。
【００５１】
以上の記載は本発明の好ましい実施例に過ぎず、本発明をどのような形式でも制限しない。本発明は好ましい実施例により上記のように開示したが、本発明を限定するものではない。当業者は本発明の技術案を逸脱しない範囲内で、上記に示した技術内容を利用して、少しの変更または修飾を行い、同等に変更した等価実施例とすることができるが、いずれも本発明の技術案の内容を逸脱しない。本発明の技術的本質に基づいて、以上の実施例に対して行う簡単な修正、同等の変更および修飾は、いずれも本発明案の範囲内に属する。
【符号の説明】
【００５２】
１  洗濯ドラム
２  第１揚程ポンプ
３  第２揚程ポンプ
４  空気ポンプ
５  ろ過システム
６  自吸ポンプ
７  流量センサ
８  ドレン弁
９  排水管
１０  排水弁
【図１】
0006692533.tif 000004
【図２】
0006692533.tif 000005
【図３】
0006692533.tif 000006